(57)【要約】【課題】セキュリティー機能が一段と改善された締結部防護装置を提供する。【解決手段】被締結物に螺合されるホルダと、ホルダを包囲するスカートと、スカートに一体的に連結され、ボール逃げ溝を形成したボールガイドと、スカートのボール保持溝とボール逃げ溝に嵌められ、ホルダのボール係止溝に係脱するボールと、ボールガイドに対して回転不能で軸線方向に移動可能にスカートに嵌められ、カム斜面を基端部に形成したストッパと、カム斜面でボールを押すようにストッパを付勢するバネと、スカートに装備され、ダイヤルの外周面の符号が予め設定した解錠符号列に整列したときに解錠状態になるダイヤル錠とからなる。ダイヤルを回転させて解錠符号列に設定したとき、ストッパが移動可能となって、ボールがボール係止溝から脱出し、スカートがホルダから抜き取れる。【選択図】図８
2006052745.tif 000002
【特許請求の範囲】
【請求項１】
被締結物の螺子部に螺合して被締結物に取付けられ、先端部外周面にボール係止溝を環状に形成してあるホルダと、
被締結物を締結対象物に締付け固着した締結具と前記ホルダの双方を全長にわたって包囲し、先端部内周面に前記ボール係止溝に対面するボール保持溝を環状に形成した空転可能なスカートと、
前記スカートの先端部内側に一体成形または一体的に連結され、前記ボール係止溝と前記ボール保持溝に連通するボール逃げ溝を軸線方向に形成したボールガイドと、
主体部分が前記ボール保持溝と前記ボール逃げ溝に嵌められ、一部分が前記ボール係止溝に係脱するボールと、
前記ボールガイドに対して回転不能であって、前記ボールガイドの軸線方向に移動可能であるように前記スカートと前記ボールガイドの間に嵌められ、前記ボールに当接するカム斜面を基端部に形成したストッパと、
前記カム斜面により前記ボールが前記ホルダ側に押されるように前記ストッパを前記スカートの基端部方向に移動付勢するストッパ付勢用バネと、
前記スカートとボールガイドに装備され、複数のダイヤルの外周面に付された符号が予め設定した解錠符号列に整列させられたときに解錠状態になるダイヤル錠とからなり、
前記複数のダイヤルを回転させて前記解錠符号列に設定したとき、前記ストッパが前記ボールガイドの先端部方向に移動可能となり、前記ボールが前記ボール係止溝から脱出することによって、前記スカートを前記ホルダから抜き取れるようにしたダイヤル錠付きの締結部防護装置。
【発明の詳細な説明】
【技術分野】
【０００１】
本発明は、ボルトやナットなどの螺合による締結具に対して適用され、正当権限を有しない者による締結具へのアクセスを阻止する締結部防護装置に関する。
【背景技術】
【０００２】
従来から、ボルトやナットといった締結具を使用して鉄塔や建物などの建築物を組み立
て、鉄道などの施設物に対する機構部品の固定を行なうことが行われている。また、ゲーム機等の民生用機器においても、管理用キースイッチ類を締結具によって操作パネルに締付け固着することが一般に行われている。
【０００３】
しかしながら、この種締結具の操作用工具はプライヤーやスパナとして一般に広く市販されているため、送電用鉄塔や鉄道線路の締結箇所を部外者が意図的に取外してしまう事件が発生している。また、ゲーム機等でも締結具を解除してキースイッチを取外したり、制御用電子回路に不当な改変処理を加える等の事件が頻発している。
【０００４】
そのため、専用の締結部取外し防止具が各種提案されており、最新ものもとしては、締結具の軸線方向の一方側から少なくともトルク伝達部を包囲し、内周側に溝を有するカバー部材と、外周側部分がカバー部材の内周側の溝に嵌合するように付勢され、カバー部材の溝が形成されていない内周面に沿って摺動可能なように、外周側からの押圧で径が縮小可能なバネ部材と、当該バネ部材を締結具の軸線方向に関して拘束する拘束部材とを含むものがある（特許文献１参照）。
【０００５】
この締結部取外し防止具は、構成が簡略化されて外部に突出する構成部分がないこと、そして、ボルトの頭部側でも先端側でも取外し防止を図れるという利点を有するのであるが、前記バネ部材を縮径方向に駆動するための操作具の挿入孔が、カバー部材の側壁部を貫通して形成されているため、正規の操作具によらなくても、細い金属棒を横から差し込むことによって、誰にでも簡単に前記バネ部材を駆動してカバー部材を締結具から外せるようになっているため、セキュリティーの点で問題が残されている。
【０００６】
【特許文献１】特開２００３−１１３８２９号公報
【発明の開示】
【発明が解決しようとする課題】
【０００７】
本発明が解決しようとする課題は、正規の解錠符号列を知らされている正当権限者でなければ、防護手段を解除することができないため、セキュリティー機能が一段と改善された締結部防護装置を提供することである。
【課題を解決するための手段】
【０００８】
本発明の締結部防護装置の主たる特徴は、被締結物の螺子部に螺合して被締結物に取付けられ、先端部外周面にボール係止溝を環状に形成してあるホルダと、
被締結物を締結対象物に締付け固着した締結具と前記ホルダの双方を全長にわたって包囲し、先端部内周面に前記ボール係止溝に対面するボール保持溝を環状に形成した空転可能なスカートと、
前記スカートの先端部内側に一体成形または一体的に連結され、前記ボール係止溝と前記ボール保持溝に連通するボール逃げ溝を軸線方向に形成したボールガイドと、
主体部分が前記ボール保持溝と前記ボール逃げ溝に嵌められ、一部分が前記ボール係止溝に係脱するボールと、
前記ボールガイドに対して回転不能であって、前記ボールガイドの軸線方向に移動可能であるように前記スカートと前記ボールガイドの間に嵌められ、前記ボールに当接するカム斜面を基端部に形成したストッパと、
前記カム斜面により前記ボールが前記ホルダ側に押されるように前記ストッパを前記スカートの基端部方向に移動付勢するストッパ付勢用バネと、
前記スカートとボールガイドに装備され、複数のダイヤルの外周面に付された符号が予め設定した解錠符号列に整列させられたときに解錠状態になるダイヤル錠とからなり、
前記複数のダイヤルを回転させて前記解錠符号列に設定したとき、前記ストッパが前記ボールガイドの先端部方向に移動可能となり、前記ボールが前記ボール係止溝から脱出することによって、前記スカートを前記ホルダから抜き取れるようにしたことである。
【発明の効果】
【０００９】
請求項１の発明では、ダイヤル錠の規制措置によって、前記ストッパが前記スカートの先端部方向への移動を制止されているときには、前記ボールの一部分が前記ホルダの前記ボール係止溝に係合されたままとなるため、前記スカートは前記ボール係止溝と前記ボールの案内作用によって前記ホルダの軸線周りに空転するだけであり、前記スカートを前記ホルダから抜取ることができない。そのため、前記被締結物の前記螺子部から前記ホルダと前記締結具を取外すことは不可能であり、無権限者による前記被締結物へのアクセスが完璧に阻止され、セキュリティー機能が一段と改善された締結部防護装置が得られる。
【００１０】
この防護手段の解除に当っては、ダイヤル錠の複数のダイヤルを所定の解錠符号列となるように回転させることによって、前記ストッパの移動拘束が解除されるため、スカートを軸線方向に引くだけで前記ボールによる前記スカートの抜取り拘束が解除されるため、操作手順はすこぶる簡略化されており、解錠操作の迅速性にも優れている。
【００１１】
また、前記ホルダを被締結部の螺子部に螺合した後と、前記スカートを前記ホルダと前記締結具に嵌めるだけで、前記ボールの一部分が前記ホルダの前記ボール係止溝に自動的に係合し、その後、ダイヤル錠のダイヤルをアトランダムに回転させるだけで良いため、施錠操作の簡便性にも優れている。
【発明を実施するための最良の形態】
【００１２】
ホルダ、スカート、ストッパ、ボール、ダイヤル錠の各構成部品を金属材料によって構成することによって、機械的衝撃に対して剛に製作し、悪意者による打撃や捩じ曲げなどの攻撃に対して強固にする。
【実施例１】
【００１３】
図示の実施例では、被締結物１はシリンダー錠とマイクロスイッチの組合せよりなるキースイッチであり、この固定外筒２の外周面に形成された螺子部３にはナットよりなる締結具４が螺合され、固定外筒２の前端鍔部５と締結具４の間に、操作パネルよりなる締結対象物６を挟持することによって、被締結物１がに締結対象物６に締付け固着されている。締結具４と締結対象物６との間には防水用リング７が挿入されている。前記螺子部３には六角形断面がナット形状のホルダ８が締結具３に突き合わせて螺合されている。ホルダ８の先端側半分は円形状断面の筒部に形成されており、その先端部外周面（図８において右端部外周面）にボール係止溝９が環状に形成されている。
【００１４】
円筒状のスカート１０は、締結部３とホルダ８だけでなく、被締結物１の主要部分の全体を包囲する長さに形成されている。円筒状のスカート１０の先端部内側（図８において右端部内側）には、円筒状のボールガイド１１の基端部が嵌め込まれている。スカート１０の透孔１２からボールガイド１１の透孔１３に挿入した４本のスプリングピン１４によって、スカート１０とボールガイド１１は一体的に連結されている。前記先端部内周面に環状に形成したボール保持溝１５は、スカート１０の周壁を外側に向けて削除した形の段差溝状に形成されており、その底面１５ａには鋼製のボール１６が当接する。
【００１５】
スカート１０のボール保持溝１５は、スカート１０をその基端面（図８において左端面）が前記防水用リング７に突き当たるまで所定量だけ被締結物１に嵌めたとき、ホルダ８のボール係止溝９に対面する。ボールガイド１１のボール逃げ溝１７は９０度間隔に４個設けられている。図８に示したように施錠状態においては、ボール係止溝９とボール保持溝１５は、ボール逃げ溝１７の先端部側（図８において右端部側）の隅部に対面している。ボール１６は、スカート１０のボール保持溝１５とボールガイド１１のボール逃げ溝１７にその大部分が常時係合しており、円筒状のストッパ１８の位置に応じて、ボール１６の一部分がホルダ８のボール係止溝９に係脱する。
【００１６】
ストッパ１８の透孔１９からボールガイド１１の軸線方向のスロット２０に挿入されたスプリングピン２１は、ストッパ１８をボールガイド１１に対して回転不能に、かつ、ボールガイド１１の軸線方向に移動可能に接合している。ストッパ１８はボールガイド１１とスカート１０の間の環状空間に嵌めこまれており、ストッパ１８の基端部（図８において左端部）は、スカート１０のボール保持溝１５に一部入り込んでいる。
【００１７】
スカート１０の先端部（図８において右端部）内周面には、ボール保持溝１５に隣接して一回り大きい段差溝２２が形成されている。ストッパ１８の基端部（図８において左端部）外周面にはバネ受け突起２３が環状に形成されており、該バネ受け突起２３は前記段差溝２２に嵌められている。
ストッパ１８の中間部外側に嵌められたストッパ付勢用バネ２４は、バネ受け突起２３とダイヤル錠ＤＬの第１チェンジリング２５との間で圧縮され、ストッパ１８をスカート１０の基端部方向（図８において左方向）に移動付勢している。このバネ２４の軸線方向に働く弾性力は、カム斜面２６においてホルダ８の方向、すなわち求心方向に転換させ、ボール１６とボール係止溝９との係合状態を維持する方向に働いている。ストッパ１８の中間部外面の一部には、第１制止突起２７を軸線方向に形成し、先端面の一部に第２制止突起２８を軸線方向に形成してある。
【００１８】
ダイヤル錠ＤＬは、第１チェンジリング２５と、第２チェンジリング２９、第１ダイヤル３０及び第２ダイヤル３１から成る。第１ダイヤル３０は、スカート１０の先端面に突き合わせて、ストッパ１８の先端部外側に嵌められる。第１ダイヤル３０の外周面には複数個の符号（数字、アルファベット、記号等）を等間隔に付してあり、ダイヤル３０の基端側の側面（図８において左側面）には第１リング収容溝３２を環状に形成してある。第１リング収容溝３２の底面の一部には第１クリック受入れ溝３３を形成してある。
【００１９】
第１チェンジリング２５は、第１ダイヤル３０の第１リング収容溝３２に収容されてストッパ１８の先端部外側に嵌められている。第１チェンジリング２５の内周面の一部には、ストッパ１８がスカート１０の先端部方向（図８において右方向）に移動したとき、ストッパ１８の第１制止突起２７が係合する第１制止受溝３４を形成してある。第１チェンジリング２５の先端側の側面（図８において右側面）には、第１クリック溝３５を等間隔に形成してある。
【００２０】
第２ダイヤル３１は、ボールガイド１１の先端鍔部３６と第１ダイヤル３０に突き合せて、ボールガイド１１の中間部外側に嵌められる。第２ダイヤル３１の外周面には複数個の符号（数字、アルファベット、記号等）を等間隔に付してある。第２ダイヤル３１の基端側の側面（図８において左側面）には、第２リング収容溝３７を環状に形成し、第２リング収容溝３７の底面の一部に第２クリック受入れ溝３８を形成してある。
【００２１】
第２チェンジリング２９は、第２ダイヤル３１の第２リング収容溝３７に収容されてボールガイド１１の中間部外側に嵌められている。第２チェンジリング２９の内周面の一部には、ストッパ１８がスカート１０の先端部方向（図８において右方向）に移動したとき、ストッパ１８の第２制止突起２８が係合する第２制止受溝３９を形成し、先端側の側面（図８において右側面）に第２クリック溝４０を等間隔に形成してある。
【００２２】
第１クリック体４１は、第１ダイヤル３０の第１クリック収容溝３３に収容され、第１ダイヤル３０の回転に伴って第１チェンジリング２５の第１クリック溝３５と係脱するようにスカート１０に向けて（図８において左方向）、圧縮コイルバネ４２によって付勢されている。第２クリック体４３は、第２ダイヤル３１の第２クリック受入れ溝３８に収容され、第２ダイヤル３１の回転に伴って第２チェンジリング２９の第２クリック溝４０と係脱するように第１ダイヤル３０に向けて（図８において左方向）、圧縮コイルバネ４４によって付勢されている。
【００２３】
図示の実施例の締結部防護装置の作用について、要点を以下に説明する。
工場からの出荷段階では、丸棒状の解錠符号列設定用治具４５が、スカート１０とボールガイド１１の組立体の空洞部内に挿入され、この挿入過程において、ボール１６は解錠符号列設定用治具４５の傾斜カム面４８によって遠心方向に押される。解錠符号列設定用治具４５が充分に挿入された最終段階では、ボールガイド１１のボール逃げ溝１７とスカート１０のボール保持溝１５内に全体が押し込められている。
【００２４】
この状態では、ストッパ１８はバネ２４の付勢に抗して図１０において右側に押動かされており、ストッパ１８の第１制止突起２７が第１チェンジリング２５の第１制止受溝３４に係合し、ストッパ１８の第２制止突起２８が第２チェンジリング２９の第２制止受溝３９に係合している。そのため、第１チェンジリング２５と第２チェンジリング２９はスカート１０に対して回転不能に拘束されており、第１ダイヤル３０と第２ダイヤル３１がスカート１０に対して回転可能である。
【００２５】
したがって、第１ダイヤル３０と第２ダイヤル３１を第１クリック体４１と第２クリック体４３によるクリック機能のもとに、所定の単位角度の整数倍だけ任意に回転させることによって、解錠符号列を任意に設定変更することができる。図９に示したように第１ダイヤル３０と第２ダイヤル３１を回転させずに、前記空洞部から引き抜いたときには、工場出荷段階の初期設定通りの解錠符号列がそのまま使用されることになる。
【００２６】
解錠符号列設定用治具４５を前記空洞部から引き抜いたときには、図１０においてストッパ１８は前記バネ２４の付勢によって左側方向に押され、ストッパ１８は、前記ピン２１が前記スロット２０の左端側の隅部に係合する位置まで移動する。このストッパ１８の移動によって、図９に示したようにボール１６は、ストッパ１８のカム斜面２６に押されて求心方向に移動し、一部分がボールガイド１１の内周面より突き出た待機位置に来る。
図９に示したように、ホルダ８はスカート１０とボールガイド１１の組立体から分離した状態で現場に搬入される。
【００２７】
使用現場において、図５と図６に示した被締結物１（前記キースイッチ）に装着するに当っては、ホルダ８が最初に被締結物１の固定外筒２の螺子部３に螺合させられ、ホルダ８がナットよりなる締結具４に突き当てられる。スカート１０とボールガイド１１の組立体を被締結物１、ホルダ８及び締結具４に被せる過程において、ホルダ８の先端部（図９において右端部）の傾斜カム面４６が、前記ボール１６の突出部分に当たる。そのため、ボール１６は傾斜カム面４６の作用によって遠心方向に押され、ボール１６の全体がスカート１０のボール保持溝１５とボールガイド１１のボール逃げ溝１７に押込まれる。これと同時にボール１６に押されたストッパ１８はスカート１０の先端部方向に押される。
【００２８】
スカート１０とボールガイド１１の組立体が所定位置まで装填されると、ボール１６がホルダ８のボール係止溝９に対面する位置まで来るため、前記バネ２４の付勢下にあるボール１６は瞬時に求心方向に移動し、ボール係止溝９に自動的に係合する。これと同時にストッパ１８もスカート１０の基端部方向に移動し、図８に示した通りの施錠状態が成立する。この施錠状態では、ストッパ１８の第１制止突起２７が第１チェンジリング２５の第１制止受溝３４から離脱し、ストッパ１８の第２制止突起２８が第２チェンジリング２９の第２制止受溝３９から離脱しているため、第１チェンジリング２５と第２チェンジリング２９はスカート１０に対して回転可能に設定されている。
【００２９】
第１ダイヤル３０と第２ダイヤル３１を回したときには、それぞれ第１クリック体４１と第２クリック体４３が効いているため、第１チェンジリング２５と第２チェンジリング２９は、それぞれ第１ダイヤル３０と第２ダイヤル３１と一体的に回転することになる。
すなわち、前記施錠状態の成立後に第１ダイヤル３０と第２ダイヤル３１をアトランダムに回転させておけば、正規の解錠符号列を知らない無権限者が、第１ダイヤル３０と第２ダイヤル３１をいくら回しても、これらは単に空転するだけであり、解錠可能な状態を作り出すことはできない。
【００３０】
正規の解錠符号列を知っている正当権限者が、第１ダイヤル３０と第２ダイヤル３１を回して、図１に示したようにスカート１０周面の符号列表示位置４７に正規の解錠符号列を整列させたときには、図４に示したように、第１チェンジリング２５の第１制止受溝３４がストッパ１８の第１制止突起２７に対面する一方、第２チェンジリング２９の第２制止受溝３９がストッパ１８の第２制止突起２８に対面する解錠可能状態が作り出される。
【００３１】
この解錠可能状態において、スカート１０とボールガイド１１の組立体を軸線方向に沿って先端部側に引くと、ホルダ８のボール係止溝９の内面に押されることによって、ボール１６が遠心方向に移動し、これに追随してストッパ１８が先端部側に移動し、ストッパ１８の第１制止突起２７が第１チェンジリング２５の第１制止受溝３４に係合し、ストッパ１８の第２制止突起２８が第２チェンジリング２９の第２制止受溝３９に係合し、ボール１６がホルダ８のボール係止溝９から完全に脱出する。
【００３２】
そのままスカート１０とボールガイド１１を引くと、ホルダ８及び被締結物１から完全に抜き取れら、ホルダ８が露出する。正当権限者は、ホルダ８と締結具４を被締結物１の螺子部３から取外すことによって、構築物の再構成や機器の点検や交換といった所要の作業を行なうことができる。
【図面の簡単な説明】
【００３３】
【図１】本発明の実施例に係る締結部防護装置の平面図であり、ホルダをスカートとボールガイドの組立体の空洞部に収容した状態を示している。
【図２】図１の締結部防護装置の背面図である。
【図３】図１の締結部防護装置の正面図である。
【図４】図１のＡ−Ａ線断面図である。
【図５】図１の締結部防護装置が適用される被締結物の左側面図である。
【図６】図５の日締結物の正面図である。
【図７】図１の締結部防護装置を被締結物に装着したときの正面図であり、施錠状態を示している。
【図８】図７のＢ−Ｂ線要部断面図である。
【図９】図１の締結部防護装置の分離状態の断面図である。
【図１０】図１の締結部防護装置の工場出荷段階における断面図である。
【図１１】図１の締結部防護装置に適用される解錠符号列設定治具の左側面図である。
【図１２】図１の締結部防護装置におけるホルダの正面図である。
【図１３】図１２のホルダの平面図である。
【図１４】図１の締結部防護装置におけるスカートの正面図である。
【図１５】図１４のスカートの平面図である。
【図１６】図１４のＣ−Ｃ線断面図である
【図１７】図１の締結部防護装置におけるボールガイドの背面図である。
【図１８】図１７のボールガイドの平面図である。
【図１９】図１７のＤ−Ｄ線断面図である
【図２０】図１の締結部防護装置におけるストッパの正面図である。
【図２１】図２０のストッパの平面図である。
【図２２】図２０のストッパの背面図である。
【図２３】図２０のＥ−Ｅ線断面図である
【図２４】図１の締結部防護装置における第１ダイヤルの正面図である。
【図２５】図２４の第１ダイヤルの背面図である。
【図２６】図２４のＦ−Ｆ線断面図である。
【図２７】図１の締結部防護装置における第１チェンジリングの正面図である。
【図２８】図２７の第１チェンジリングの背面図である。
【図２９】図２７のＧ−Ｇ線断面図である。
【図３０】図１の締結部防護装置における第２ダイヤルの正面図である。
【図３１】図３０の第２ダイヤルの背面図である。
【図３２】図３０４のＨ−Ｈ線断面図である。
【図３３】図１の締結部防護装置における第２チェンジリングの正面図である。
【図３４】図３３の第２チェンジリングの背面図である。
【図３５】図３３のＩ−Ｉ線断面図である。
【図３６】図１の締結部防護装置における第１クリック体の正面図である。
【図３７】図３６の第１クリック体の左側面図である。
【図３８】図１の締結部防護装置における第２クリック体の正面図である。
【図３９】図３８の第２クリック体の左側面図である。
【符号の説明】
【００３４】
１  被締結物
２  固定外筒
３  固定外筒の螺子部
４  締結具
５  固定外筒の前端鍔部
６  締結対象物
７  防水用リング
８  ホルダ
９  ホルダのボール係止溝
１０  スカート
１１  ボールガイド
１２  スカートの透孔
１３  ボールガイドの透孔
１４  スプリングピン
１５  スカートのボール保持溝
１６  ボール
１７  ボールガイドのボール逃げ溝
１８  ストッパ
１９  ストッパの透孔
２０  ボールガイドのスロット
２１  スプリングピン
２２  スカートの段差溝
２３  ストッパのバネ受け突起
２４  ストッパ付勢用バネ
２５  第１チェンジリング
２６  ストッパのカム斜面
２７  ストッパの第１制止突起
２８  ストッパの第２制止突起
２９  第２チェンジリング
３０  第１ダイヤル
３１  第２ダイヤル
３２  第１ダイヤルの第１リング収容溝
３３  第１ダイヤルの第１クリック受入れ溝
３４  第１チェンジリングの第１制止受溝
３５  第１チェンジリングの第１クリック溝
３６  ボールガイドの先端鍔部
３７  第２ダイヤルの第２リング収容溝
３８  第２ダイヤルの第２クリック受入れ溝
３９  第２チェンジリングの第２制止受溝
４０  第２チェックリングの第２クリック溝
４１  第１クリック体
４２  第１クリック体の付勢用バネ
４３  第２クリック体
４４  第２クリック体の付勢用バネ
４５  解錠符号列設定用治具
４６  ホルダの傾斜カム面
４７  スカートの符号列表示位置
４８  解錠符号列設定用治具の傾斜カム面
ＤＬ  ダイヤル錠
【図１】
2006052745.tif 000003
【図２】
2006052745.tif 000004
【図３】
2006052745.tif 000005
【図４】
2006052745.tif 000006
【図５】
2006052745.tif 000007
【図６】
2006052745.tif 000008
【図７】
2006052745.tif 000009
【図８】
2006052745.tif 000010
【図９】
2006052745.tif 000011
【図１０】
2006052745.tif 000012
【図１１】
2006052745.tif 000013
【図１２】
2006052745.tif 000014
【図１３】
2006052745.tif 000015
【図１４】
2006052745.tif 000016
【図１５】
2006052745.tif 000017
【図１６】
2006052745.tif 000018
【図１７】
2006052745.tif 000019
【図１８】
2006052745.tif 000020
【図１９】
2006052745.tif 000021
【図２０】
2006052745.tif 000022
【図２１】
2006052745.tif 000023
【図２２】
2006052745.tif 000024
【図２３】
2006052745.tif 000025
【図２４】
2006052745.tif 000026
【図２５】
2006052745.tif 000027
【図２６】
2006052745.tif 000028
【図２７】
2006052745.tif 000029
【図２８】
2006052745.tif 000030
【図２９】
2006052745.tif 000031
【図３０】
2006052745.tif 000032
【図３１】
2006052745.tif 000033
【図３２】
2006052745.tif 000034
【図３３】
2006052745.tif 000035
【図３４】
2006052745.tif 000036
【図３５】
2006052745.tif 000037
【図３６】
2006052745.tif 000038
【図３７】
2006052745.tif 000039
【図３８】
2006052745.tif 000040
【図３９】
2006052745.tif 000041